(57)【特許請求の範囲】
【請求項１】
長尺の発光体（２）の放射セクタ（α）を防眩するために前記発光体（２）をその長さに渡って覆う、前記発光体のための防眩透明スクリーンであって、
この防眩透明スクリーンの表面が、ほぼ平行に並置されて延びている複数のプリズム（１０）により形成されていること、
これらのプリズム（１０）が実質的に発光体（２）に沿って方向付けられていること、
これらのプリズム（１０）の各々が底面（８）とプリズム面（１１，１２）を有すること、
これらのプリズム（１０）の底面（８）が発光体（８）に向いていること、
光線（１３）が底面（８）を通ってプリズム（１０）内に進入すること、
これらのプリズム（１０）が発光体（２）に対して、
ａ）一方のプリズム面（１１）で、このプリズム面（１１）上に現れる進入光線（１３）の部分が全反射し、
ｂ）他のプリズム面（１２）で、このプリズム面（１２）上に現れる光線（１３）の部分が透過する
ように位置している、防眩透明スクリーン。
【請求項２】
透明スクリーン（１）の発光体（２）側に位置する側面がプリズム（１０）の平坦な底面（８）から形成されていることを特徴とする、請求項１に記載の防眩透明スクリーン。
【請求項３】
透明スクリーンが、片側だけでプリズム状の表面を有するプリズムフォイル（１）から構成されていることを特徴とする、請求項１または２に記載の防眩透明スクリーン。
【請求項４】
プリズムフォイル（１）が発光体（２）のまわりで湾曲されて配設されていることを特徴とする、請求項３に記載の防眩透明スクリーン。
【請求項５】
プリズム（１０）が３角形の横断面を有し、この３角形横断面の底辺がプリズム（１０）の底面（８）に対応することを特徴とする、請求項１〜４のいずれか一項に記載の防眩透明スクリーン。
【請求項６】
プリズム（１０）の横断面が２等辺３角形の形状を有することを特徴とする、請求項５に記載の防眩透明スクリーン。
【請求項７】
プリズム（１０）の側面（１１、１２）のうちの１つの夫々の側面（１１、１２）において全反射が行われるように、プリズムフォイル（１）が配設されていることを特徴とする、請求項４〜６のいずれか一項に記載の防眩透明スクリーン。
【請求項８】
プリズム（１０）の底面（８）が、夫々のプリズム（１０）上に衝突する光線（１３）に対して９０°から外れた角度で位置していることを特徴とする、請求項６または７に記載の防眩透明スクリーン。
【請求項９】
全反射する光線が、少なくとも部分的に、間隔をもって発光体（２）を通り過ぎるように導かれる光路が、プリズム（１０）内に設けられていることを特徴とする、請求項１〜８のいずれか一項に記載の防眩透明スクリーン。
【請求項１０】
プリズムフォイル（１）の各領域においてプリズムフォイル（１）から発光体（２）への間隔（ａ）がプリズムフォイル（１）の曲率半径（Ｗ）よりも小さいように、プリズムフォイル（１）が湾曲されて配設されていることを特徴とする、請求項４〜９のいずれか一項に記載の防眩透明スクリーン。
【請求項１１】
夫々の曲率半径（Ｗ）と、プリズムフォイル（１）から発光体（２）への間隔（ａ）の比率が、プリズムフォイル（１）の各領域において実質的に同じであることを特徴とする、請求項１０に記載の防眩透明スクリーン。
【請求項１２】
発光体（２）がケーシング（３）内に受容されていて、ケーシング（３）の縦方向で対向して位置するケーシング（３）の端壁（４）に湾曲縁（５）が形成されていて、その輪郭線がプリズムフォイル（１）の設けられる湾曲に対応し、湾曲縁（５）上にプリズムフォイル（１）が載置されることを特徴とする、請求項４〜１１のいずれか一項に記載の防眩透明スクリーン。
【発明の詳細な説明】
【０００１】
本発明は、請求項１の前提部に記載した形式による、発光体の放射セクタを防眩するために発光体をその長さに渡って覆う、長尺の発光体のための防眩透明スクリーンに関する。
【０００２】
通常高い輝度が要求される室内照明、特にオフィス照明において、光源は、作業者が視野内の作業対象物を見る場合に眩輝によって妨げが生じないように作業場の位置から防眩されなくてはならない。快適な室内照明を得るためには光源によって発生し且つ作業者から知覚される輝度を変更するための措置が必要である。特に、テレビ等の映像面が備えられているオフィス作業場では直接眩輝と反射眩輝が回避されなくてはならない。この際、直接眩輝は、例えば画像面や紙書類である作業面を見る際に視野内で強い明るさが形成される場合に生じる。この際、発光体を直接的に見ることは基本的に排除されなくてはならない。長尺の発光体では、発光体の放射角が発光体を収容するケーシングの曲げられたケーシング壁によって達成されるという発光体の横方向の防眩手段、また部分的には縦方向の防眩手段が知られている。この際、発光体の放射セクタ以外に位置する作業場は眩輝から免れている。
【０００３】
放射セクタ内で発光体を防眩するためには防眩透明スクリーンが知られていて、これらの防眩透明スクリーンは光を透過する材料からできていて発光体をその長さに渡って覆う。ドイツ特許発明第3420414号明細書から、長尺のランプ及びランプ上に配置されたリフレクタを有する照明器具の防眩のための光透過式照明器具カバーが知られていて、この照明器具カバーは、リフレクタ開口部を閉鎖し且つランプとは反対側で延在するプリズムを有し、これらのプリズムは通過する光を散乱させる。延在するこれらのプリズムは、互いにほぼ平行に位置し、ランプ縦軸線に対して横向きに延びていて、この際、防眩透明スクリーンの材料の屈折率を考慮しながら発光体の放射角がランプ軸線に沿って制限される。この際、プリズム横断面は２等辺３角形の形状を有するが、プリズム横断面の形状は、ランプ軸線に対する横方向で照明器具の配光に出来るだけ影響を与えないようにするために、全反射が排除されるように選択されなくてはならない。このようにして発光体は防眩透明スクリーンの可視表面上に映し出され、この際、発光体の非常に明るい像は、多くの場合、邪魔なものとして感じ取られる。この際、観察者の視野内、特に座っている位置で測定すると、光源の輝度のほぼ８０％から１００％までの知覚輝度が生じる。横方向における発光体の防眩はこの周知の装置では考慮されていない。
【０００４】
ドイツ特許出願公開第4115836号明細書から、バー形状で水平に配置されている光源を有する照明器具が知られていて、その光源は防眩の目的でプリズムフォイルにより包囲されている。この際、これらのプリズムは、平行に相並んで配置されていて、ケーシング縦軸線に対して平行に延びている。バー光源に対して同軸に配置されているフォイル上には２等辺３角形の形状のプリズムが形成され且つ対称に配置されていて、この際、円柱状のプリズム体のまわりには透明の保護パイプが備えられている。この際、バー照明器具から半径方向に放射される光線および直接的な隣接光線はほぼ垂直にプリズム底面を通じて夫々のプリズム内に進入し、直角プリズム横断面の等辺に対応するプリズム面によって反射される。このようにして、放射された全ての光線の中で最も強力な半径方向光線が光源に向かってはね返され、そこで吸収されるので、この周知の装置では非常に大きな光損失を伴ってのみ防眩が達成可能である。
【０００５】
ドイツ特許出願公開第19745844号明細書から、リフレクタの光出口開口部の前にプリズムフォイルを使用することが知られている。この際、リフレクタとプリズムフォイルは発光体を包囲する。この際、プリズム輪郭線は実質的に平坦な面であり、その１つの面に実際のプリズム構造体のリブが配置されている。この際、プリズムの縦軸線はランプ軸線に対して垂直に設けられている。広角に放射する（車両内照明器具）配光、又は、方向付けられた（車両信号照明器具）配光を得るために、リフレクタとプリズムフォイルが一体ユニットを形成するようにリフレクタが寸法決めされている。
【０００６】
本発明の基礎を成す課題は、眩輝が完全に回避され、室印象のために均質な室内照明が出来るだけ高い照明強度で行われるように、冒頭に掲げた形式の防眩透明スクリーンを改善することである。
【０００７】
この課題は、本発明に従い、請求項１に記載した特徴によって解決される。
【０００８】
本発明に従い、防眩透明スクリーンからの均一の光放射が、プリズム面のうちの少なくとも１つのプリズム面においてこのプリズム面上に衝突する光線が全反射されるようにプリズムを発光体に対して相対的に配置することにより達成される。この際、プリズム内に進入する光線の一部分は防眩透明スクリーンを貫き通り、それに対し、進入する光線束の他の部分は全反射によってはね返される。つまり、光源から半径方向にプリズムに向かって放射された光束が散乱される。発光体に沿ったプリズムの方向付けにより、特に発光体の側方領域においても、完全な防眩が達成され、室が均一に照明される。この際、プリズムは、その横断面形状および材料の屈折率に応じ、発光体に対して相対的に次のように配置されている。即ち、１つのプリズム面における全反射により、衝突する光線の部分束が透明スクリーンを直接的に通過しないようにである。
【０００９】
合目的には、防眩透明スクリーンの発光体側に位置する側面は、実質的に平坦なプリズムの底面から形成されていて、この際、プリズム面のうちの１つのプリズム面における全反射は、透明スクリーンにおいて発光体の反対側に位置する側面で行われる。全反射する光束が、発光体の反対側でプリズムから出ることはない。本発明の有利な構成では、透明スクリーンが、片面だけでプリズム状の表面を有するプリズムフォイルから構成されていて、このプリズムフォイルは発光体の前をカバーするように配設される。プリズムの横断面形状に応じて、即ち、底面の幅、及び、プリズム状の表面において突出するプリズム面の角度の方向付けに応じて、プリズムフォイルは、発光体に対し、目標とされる全反射がプリズム面において発生するような間隔で取り付けられる。発光体のまわりでプリズムフォイルを適切に湾曲させることにより、プリズムは簡単に意図される位置にもたらされ得る。有利にはプリズムは３角形の横断面を有し、この際、プリズムの底面は３角形横断面の底辺に対応し、発光体側に位置する。この際、底面を通じて進入する光束のうち、プリズムの側面の１つに衝突する部分は全反射され、それに対して３角形プリズムの他の側面に衝突する光束は偏向しながら防眩透明スクリーンを通過する。これらの側面は、プリズム横断面において底辺に対して角度をもって位置する３角形の辺に対応する。
【００１０】
プリズムが２等辺３角形の形状を有すると特に有利であり、この場合、プリズムフォイルの湾曲により防眩透明スクリーンの放射角が必要に応じて調節可能である。この際、全反射する光束が発光体の軸線のわきにはね返されると有利である。２等辺３角形の横断面形状を有するプリズムは、適切な湾曲により、意図された位置に簡単にもたらされ得て、この位置では、個々のプリズムの底面が夫々のプリズムに衝突する光線に対して夫々９０°から外れた角度で位置する場合に、直角をはさむ辺に対応する面の１つにおいて全反射が得られる。
【００１１】
次に、図面を用いて本発明の実施形態を詳細に説明する。
【００１２】
図１には照明器具７の斜視図が示されていて、照明器具７は室内照明のために有利には室内天井に固定される。照明器具７はケーシング３を含み、ケーシング３内には光源である長尺の発光体２が配設されている。ケーシング３において照明すべき室側の開いた側面にはプリズムフォイル１ａ、１ｂ、１ｃが配設されていて、これらのプリズムフォイルは発光体２をその全長に渡ってカバーしている。これらのプリズムフォイルは、光を透過する材料からできていて、目で見ることのできる可視側面、即ち発光体２とは反対側の側面においてプリズム状の表面を有する。このプリズム状の表面は、発光体２の縦方向に対してほぼ平行に並置され且つ連続するプリズムによって形成されていて、これらのプリズムは、内側に位置するフォイルの側面上に進入する光束を散乱させる。プリズムフォイルの防眩作用は夫々のプリズム横断面の相対的な位置により決定されていて、この相対的な位置はプリズムフォイル１ａ、１ｂ、１ｃの曲率半径により変更可能である。この場合には２等辺３角形を用いた３角形横断面であるが、特に対称のプリズム横断面を有するプリズムフォイルでは、発光体２のまわりの曲率半径により、所望の防眩効果が照明すべき室の空間的な実状に個々に適合され得る。発光体２を防眩するためのプリズムフォイルの光学的な作用方式は後で詳細に説明する。図１には例として様々な曲率半径１ａ、１ｂ、１ｃが示されていて、この際、プリズムフォイルの湾曲は合目的には発光体２の全長に渡って同じに保たれる。プリズムフォイルは、照明器具ケーシング３の端壁４の湾曲縁５上に載置されていて、この際、湾曲縁５の輪郭線はフォイルにおいて設けられる曲率半径を決定する。またプリズムフォイルは夫々の端壁４上に面一で又は夫々の端壁４内に入り込むように案内され得る。符号１ａで描かれている緩やかな湾曲は緩やかな配光曲線を有し、この配光曲線は発光体の垂直線に対してほぼ６０°と８０°の間で小さな視感度を有する。プリズムフォイル１ｂの中程度の湾曲は、垂直線に対してほぼ６０°と９０°の間で光を放出しない配光曲線を導く。プリズムフォイル１ｃのような折り返された外側幾何学形状では配光曲線内の輝度が垂直線に対してほぼ７５°と９０°の間の角度領域内で最小である。
【００１３】
図２には長尺の発光体２を防眩するためのプリズムフォイル１を備えた照明器具ケーシング３の横断面が示されている。この際、プリズムフォイル１は照明すべき室内に向かう発光体２の放射セクタをほぼ１８０°に渡って覆っている。本発明による照明器具７のこの実施形態においてプリズムフォイル１はケーシング底部１８で取り囲まれていて、ケーシング底部１８は、極めて高い透明度で又は光学的な照明効果を達成するための構成で形成され得る。発光体２の縦軸線に対して平行に位置するプリズムフォイル１の側縁とケーシング底部１８の側縁はケーシング支持体２２に嵌め込まれている。ケーシング支持体２２は２つの異形レーンを含み、これらの異形レーンは、発光体２の両側で互いに平行に延びていて、プリズムフォイル１の縁を受け入れる。プリズムフォイル１は、発光体２のまわりでプリズムの湾曲経過が得られるような幅でケーシング支持体２２に固定される。プリズムフォイル１の湾曲の防眩作用については後で詳細に説明する。この例で示されているように、合目的には、プリズムフォイルは、ケーシング支持体２２間の横軸線に対して垂直に位置する発光体２の直径軸線に関してほぼ鏡面対称に配設されている。
【００１４】
ケーシング支持体２２には、上側に位置する側面、即ちプリズムフォイル１の反対側においてディスタンス要素２０が設けられていて、これらのディスタンス要素２０はケーシング天井部１７を支持している。ケーシング天井部１７は透明に形成されている。ケーシング天井部１７、ケーシング支持体２２、ケーシング底部１８、及び、ケーシング底部１８内に備えられているプリズムフォイル１は、ケーシング天井部１７とケーシング底部１８の間に空隙１９が形成されているように配設されている。この空隙１９によりケーシング内部空間と照明器具７の周辺との間の空気交換が行われ、この際、粒子が上方からケーシング空隙１９内に落ち入ることなく空気が循環され得る。照明器具７の長さに渡って複数のディスタンス要素２０が設けられていて、これらのディスタンス要素２０の夫々には締付クランプ２１又はそれに類似したものを用いてケーシング天井部１７が固定されている。図の右側にはディスタンス要素２０のところの断面が描かれ、左側の半分には２つのディスタンス要素２０間に位置する照明器具７の横平面の断面が描かれていて、この際、空隙１９が明らかにされている。
【００１５】
図３から図６には、個々に描かれたプリズムの例においてプリズムにおける光線の屈折状況が示されている。プリズムフォイルは、底面８が発光体２の３角形横断面の底辺と向かい合って位置するように配設される。この場合、プリズムの２等辺３角形横断面において等辺に対応する側面１１、１２が底面８に対して４５°の角度で位置し、この際、発光体２に対するプリズム１０からの間隔を考慮し、発光体２の放射状線に対する底面８の設定角が所定の領域内の場合、側面１１、１２の１つの側面では目標とされる全反射が生じる。プリズムフォイルの各プリズムは、発光体２の放射セクタΔε内の光線１３が９０°から外れた角度で底面８を通じてプリズム１０内に進入するような角度位置で発光体２に対して設けられている。図３が示すように放射セクタΔε内の放射光束１３に対して底面８の角度が緩やかな場合、上側の側面１２に衝突する光束１６は側面１２においてプリズムから出る際に屈折され、照明すべき室内へと放射される。発光体２から半径方向に放射された光線１３において下側の側面１１に衝突する部分は、側面１１に衝突する際に全反射され、この際、２番目の側面１２において屈折しながら、反射された光束１４は、放射セクタΔεに対してほぼ直交方向でプリズムから出てゆく。発光体２に対するプリズム１０の設定角ないしはその底面８の設定角は、この場合、ほぼ１５°である。明白なこととして、プリズム内にある光束を部分的に回折しながらプリズムから出させ、部分的にプリズム面における全反射によりはね返すという本発明が２等辺３角形のプリズム横断面ではなく他のプリズム横断面を用いても可能であることが挙げられる。例えば異なる底角を有する三角形横断面が選択され得て、この場合には発光体２に対して底面を正確に直交させて方向付けることも可能である。また、ほぼ台形横断面などのような他のプリズム横断面も考慮可能であり、この際、プリズム面にはプリズム構造とプリズム位置に基づいて全反射が生じる。
【００１６】
図４には、発光体２に対し、より大きな設定角、この場合では３０°の設定角を有する位置において、図３のものと同様の幾何学的形状のプリズム１０が示されている。この際、明らかなこととして、上側の側面１２で屈折されてこの側面１２を突き通る光線１６が、プリズム１０の角度位置がより小さい図３の場合とほぼ同じ方向に放射されることが挙げられる。従って、発光体２に対するプリズムからの間隔を考慮しながらプリズム底面８の長さが与えられている場合、発光体２に対するプリズム１０の角度位置を介し、プリズム１０における下側の側面１１に衝突して全反射する光線１４の放射方向が影響され得る。つまり、側面１１で全反射が生じる角度領域内においてプリズムを回転することにより、全反射する光線１４の放射方向が、上側の側面１２を通過する際に屈折だけされる光線１６の回折領域よりも大きな角度領域内で変更され得る。プリズム底面８の設定角を増加することは、限界角に至るまで、全反射の角度領域に対し、増加に伴って屈折の角度領域よりも大きな影響を及ぼす。
【００１７】
図５には、図４内のプリズムの位置に対し、水平の規準軸線２３に対して光源２のまわりで捩じられた、三角形横断面を有するプリズムにおける光路が示されている。底面上に衝突する光束の放射角度Δεは図４によるプリズム装置に対応するが、水平の軸線２３に対するズレにより、プリズム１０に向かう光線束において、より大きな中間的な入射角ε０が設けられている。垂直線に対する底面８の傾きは図４によるプリズムに対応し、ほぼ３０°である。それにより底面８で屈折された光線は下側の側面１１において屈折され、プリズム１０から出てゆく際に偏向される。上側の側面１２に衝突する光線束部分は全反射され、引き続いて他方の側面１１に突き当たる。衝突角度に依存してこれらの光線１４ａが屈折してプリズム１０から出てゆくか、または更に全反射し、この全反射の際にはこれらの光線１４ｂは底面８を通じてプリズム１０から出てゆく。この場合、発光体２のまわりのプリズムフォイルの湾曲は個々のプリズムの位置を発光体２に対して相対的に決定し、この際、図４及び図５による同じ横断面のプリズムの光路が示すように、プリズムの相対位置により所望の防眩作用が達成され得る。
【００１８】
次に、底面８に対する、衝突する光線の全反射のために設けられている側面の傾斜角における影響について図７を用いて詳細に説明する。底面８に対する側面１１の角度はαで示されていて、この際、角度α１、α２、α３、α４、α５は側辺と底辺の間の様々なプリズム角に対応する。底面８が光源に対して傾斜角εで配設されている場合、次の不等式が満たされているとプリズム面１１において全反射が行われる：
【００１９】
【数１】
0004733891.tif 000002
【００２０】
１５°＜α＜７５°（１５°以上７５°以下）というプリズム横断面の有利な角度領域では、それにより導きだされる方程式が適用される：
【００２１】
【数２】
0004733891.tif 000003
【００２２】
ここで記号の意味するところは以下の通りである：
α：  （左側）のプリズム辺と底辺の間のプリズム角
ε：  底辺の傾きに関する光の入射角
＝δｑ−δｂ  ここで、
δｑ：  水平線に対する、入射する光線の傾き
δｂ：  水平線に対する底辺の傾き
ｎ：  プリズムの屈折率
αｔｇ  屈折角、次の方程式を満たす：ｎ sin（αｔｇ）＝１
【００２３】
図６には、プリズム内における入射光線の基本的な角度関係、及び、直角２等辺３角形横断面を有するプリズムにおける偏向角度が示されていて、この際、発光体２に対するプリズム底辺の傾きは、ほぼ１５°である。発光体２とプリズム底辺８の間の間隔とプリズム底辺８の長さとの比率がほぼ１である場合、図示されているプリズムではε０＝４５°という中間的な入射角が得られる。このプリズムによりカバーされている放射セクタΔεは、境界入射角ε１及びε２に従い、底面先端において入射する夫々の境界光線間において、ほぼ４０°の値を有する。プリズムの右側の側面１１に衝突する光線は直接的な室内照明のためにプリズムの可視外面に向かって屈折される。この際、光偏向はほぼ３０°であるεｇ１とεｇ２の間の角度領域内で行われる。左側の側面１２に衝突する光線は全反射され、それに引き続き右側の側面１１において追加的に屈折され、この際、屈折は底面８に向かって、即ち発光体２に向かって行われる。発光体２とプリズムの間隔を更に延長することにより、プリズムの幾何学的形状を考慮しながら、既に第１の側面で反射されている光線において第２の全反射が生じ得る。この２重の全反射により、全反射のために設けられている第１の側面１２上に衝突する光の全角度領域が発光体２に向かう方向にはね返される。
【００２４】
図７には、底面８に対するα１からα５までのプリズム角が示されている。ここで底面８は図面の見易さのためにほぼ水平に位置している。側面１１の傾きは垂直線から傾斜角Δｌｉｐ１からΔｌｉｐ５で表されている。対応するプリズム角αを有するプリズムにおいて全反射がそれ以降に発生する境界角度はεｔｇ１からεｔｇ５で示されている。光の入射角εがｉ＝１〜５を用いた境界角εｔｇｉを超過したらすぐ、即ち矢印方向２４に位置する領域において、側面１１では全反射が発生する。
【００２５】
照明器具を防眩するためのプリズムフォイル内において、フォイルの湾曲は、個々のプリズムが発光体に対して夫々次のように傾けられて配置されているように選択される。即ち、全反射によって発光体の所望の防眩ないしは所望の配光曲線が達成されるようにである。この際、個々のプリズムの傾きは異なり得るが、この際、プリズム内の側面に対する入射角は、プリズム長および発光体に対する夫々の間隔を夫々に考慮しながら、全反射の角度領域内に位置する。プリズムの傾斜角は、発光体のまわりのプリズムフォイルの周方向で、先行するプリズムに対して夫々高められている。この際、プリズム間の傾斜角の増加は、ほぼ１°から２°の間の角度領域内に位置する。
【００２６】
図８には、プリズムフォイルの一部分が隣接する２つのプリズム８を用いて図示されていて、これらのプリズム８は、ほぼ１５°で互いに傾いて位置している。この際、傾斜面８の傾斜角は上側のプリズムではほぼΔｂ１＝１５°であり、下側のプリズムではほぼΔｂ２＝３０°である。両方のプリズムの左側の側面１２で夫々屈折され、これらのプリズムを総和として通過する光線１６は、εｇ１＝１５°とεｇ２＝３０°の間の境界角領域内でプリズムから出てゆく。先ず右側の側面１１で、次に左側の側面１２で全反射する光線１４は、発光体２からそらされ、照明すべき室内へと偏向される。
【００２７】
図９には、プリズムの屈折領域が最適であるプリズムフォイルの有利な湾曲輪郭線が示されている。この際、プリズムフォイル１は発光体２のまわりの周方向において複数のプリズムを備えた円形セグメント９から構成されていて、この際、円形セクタの曲率半径は、入射する光が屈折される光線領域を最適に拡張させる。プリズムフォイルの幾何学的形状の経過は円形セグメント９を並置することにより形成されていて、この際、先行する円形セグメントに続く円形セグメント９は、発行体２の軸線を中心に、継ぎ足されている円形セグメント輪郭線の外側の境界光線が先行する円形セグメント輪郭線の内側の境界光線と出来るだけ一致しているような回転によって行われる。このようにして、共通の交差点において共通の接線を有する並置された円形セグメントが得られる。夫々の円形セグメントでは、プリズムの幾何学的形状と最適の曲率半径に対応する間隔を考慮しながら光屈折が与えられていて、この光屈折は発光体２を防眩するために最適の配光曲線および光散乱を導く。
【００２８】
図１０には、発光体２に対して相対的にプリズムフォイル１を湾曲して配置した様子が描かれていて、この配置ではプリズムフォイル１の湾曲が図９に関して上述したような円形セグメントの並置により形成されている。この際、夫々の曲率半径Ｗに対する、プリズムフォイル１から発光体２に対する間隔ａの比率は、プリズムフォイル１の各領域において同一である。プリズムの夫々の側面における全反射の経路上で個々の光線束を溶暗することによる発光体２の最適の防眩は、プリズムフォイルの湾曲が次のような場合に行われる。即ち、プリズムフォイル１の各領域において発光体２の間隔ａがプリズムフォイル１の曲率半径Ｗよりも小さい場合にである。
【００２９】
図１１には、図１０と同じように形成されている湾曲輪郭線における光路が示されている。プリズムフォイル１は、図示されている部分において、ほぼε２＝６０°である半径方向に放射された光線１３の入射角に渡り、発光体２の放射セクタをカバーする。即ち、プリズムフォイル１は、ほぼε２＝６０°である発光体２の放射セクタをカバーする。発光体２に対向するフォイル１のプリズム状の表面上で回折しながら照明すべき室内に放射される屈折された光線の角度領域は、入射角ε２とほぼ同じ値の角度領域内に位置するが、この際、放射領域εｇ１＋εｇ２内にある屈折された光線の放射は水平線に対してずらされている。ε１からε２である発光体２の放射領域内の屈折された光線は、夫々水平線に関し、εｇ１とεｇ２である境界角の角度領域内に偏向される。この場合、本実施形態では、εｇ１＝３０°、εｇ２＝−３０°であり、それにより｜Δε｜＝（εｇ１−εｇ２）＝６０°＝ε２である。±６０°の発光体２の放射領域は±３０°の角度領域内で方向転換される。
【００３０】
プリズムフォイル１の既述の湾曲により、全反射された光線１４は、フォイル１の後方における発光体２から離れて位置する空間部分にはね返され、それにより光源２の更なる防眩が行われる。更に、角度領域εｔｒｇ１内にありプリズムの夫々の他の側面における屈折の経路上にある全反射された光束１４の部分光線は、プリズムフォイル１において発光体２の反対側で散光として照明すべき室内に放射され得る。それにより照明すべき室内には、有利な散乱作用を用い、極めて異なる指向性を有する光線が放射される。このようなプリズムの配置は有利には図２で示されているようにプリズムフォイルの鏡面対称の湾曲により達成される。
【００３１】
プリズムフォイルの視感度は全フォイル表面に渡って均一であり、この際、プリズムフォイルに対する全ての視線角度から、類似する輝度が識別され得る。この際、散乱された光は可視であるが、眩輝を引き起こすことはない。
【００３２】
図１２には、既に図７に示されている湾曲輪郭線を有するプリズムフォイルを配置した様子が示されている。この際、直角２等辺プリズム、及び、ほぼ０.３３という発光体２及びプリズムフォイルと曲率半径Ｗとの間の間隔の比率により、目標とされる配光が達成される。この比率は合目的には３よりも小さく、この際、１よりも小さい間隔／湾曲・比率が特に有利なものと判明された。鎖線で描かれた円形領域内のプリズムフォイルの拡大図で認識できるように、全反射された光線１４の大部分はプリズムフォイルにおいて発光体２側にはね返されるが、この際、個別化された光線は、個々のプリズム１０の側面において、これらの光線が隣接するプリズムの側面に衝突するようにプリズム１０から出てゆく。この横光線は複数のプリズムにおける多重の屈折の後に散光１５として出てゆく、この際、プリズムフォイル１から放射される光の他の放射方向が形成されている。多数の放射方向を有する光散乱は、均一で心地よく観察すべき明るさを提供し、それにより、照明されている室内にいる人物の快適な気分が向上される。
【図面の簡単な説明】
【図１】  本発明による防眩透明スクリーンを有する照明器具を示す図である。
【図２】  本発明による防眩透明スクリーンを有する照明器具の横断面を示す図である。
【図３】から【図６】  発光体に対するプリズム横断面の異なる角度位置において個々のプリズムにおける光路を示す図である。
【図７】  光路の角度関係を示す図である。
【図８】  隣接する２つのプリズム光路における光路を示す図である。
【図９】及び【図１０】  湾曲されたフォイルにおける透明スクリーンの幾何学的形状を示す図である。
【図１１】及び【図１２】  発光体、及び、プリズムフォイルに衝突する光線の光路の横断面を示す図である。
【図１】
0004733891.tif 000004
【図２】
0004733891.tif 000005
【図３】
0004733891.tif 000006
【図４】
0004733891.tif 000007
【図５】
0004733891.tif 000008
【図６】
0004733891.tif 000009
【図７】
0004733891.tif 000010
【図８】
0004733891.tif 000011
【図９】
0004733891.tif 000012
【図１１】
0004733891.tif 000013
【図１０】
0004733891.tif 000014
【図１２】
0004733891.tif 000015